【事件の表示】
　特許第２９８２７４４号「光走査装置」の特許に対する特許異議の申立てについて、次のとおり決定する。
【結　論】
　特許第２９８２７４４号の請求項１ないし４、６ないし７に係る特許を維持する。
【理　由】
（１）本件発明
　特許第２９８２７４４号（平成９年５月３０日出願（遡及出願日平成８年７月１日）、平成１１年９月２４日設定登録）の請求項１ないし４、６ないし７に係る発明（以下、それぞれ「本件発明１ないし４、６ないし７」という。）は、その特許請求の範囲の請求項１ないし４、６ないし７に記載されたとおりのものである。
（２）申立の理由の概要
　申立人岡林茂は、甲第１号証（特開昭６３−２０５６３４号公報）、甲第２号証（特開昭５６−１６１５６６号公報）、甲第３号証（特開平２−１２０８１９号公報）、甲第４号証（特開平３−８１７１９号公報）、および甲第５号証（特開平１−２３４８１５号公報）を提出し、本件発明１ないし４、６ないし７の特許は、特許法第２９条第２項の規定に違反してなされたものであるから、特許を取り消すべき旨主張している。
（３）甲号証記載の発明
(i)甲第1号証(特開昭63-205634号公報)には、以下の事項を含む発明が記載されている。
　第1頁左欄第5行〜第9行に記載される、「光ビームを感光体上で走査する回転多面鏡を設け、前記感光体に対する画像形成領域外において前記光ビームを検知してこの光ビームに対する変調の開始時期を制御するための変調制御用受光部を設けた光走査式画像形成装置」。
　第1頁左欄第10行〜第11行に記載される、「変調制御用受光部の前記光ビームの照射方向における姿勢を調整するための操作手段」。
　第2頁右下欄第7行〜第13行に記載される、「このレーザビーム(B)は、コリメータレンズ(4)によって平行光にされ、高速回転するポリゴンミラー(5)のある反射面(5a)で反射される。反射後のレーザビーム(B)はf θレンズ(6)によって収束され、表面が一様に帯電された感光体ドラム(7)上に結像され、その強度に応じて結像位置の帯電電位を減衰させる。」
　第3頁右下欄第1行〜第6行に記載される、「調整板(11)は、上下のビス(13a)、(13b)を仮止めした状態で上側のビス(13a)の中心(x)周りで回動自在であり、その回動に伴って、フオトセンサ(8)の、レーザービーム(B)の照射方向における姿勢を変更することができるように構成されている。」
(ii)甲第2号証(特開昭56-161566号公報)には以下の事項を含む発明が記載されている。
　第1頁左欄第4行〜第7行に記載される、「複数のレーザ光線を走査する単一の光走査器と、上記複数のレーザ光線を記録材料上に絞りこむと共に上記レ一ザ光線がそれぞれ異なる角度で入射される単一の結像レンズ」。
　第2頁左上欄第9行〜第14行に記載される、「単一の光走査器で走査された複数本のレーザ光をそれぞれ異なる記録材料位置に導くためには、結像レンズ出射後、複数本のレーザ光を空間的に分離させる必要がある。このため複数本のレーザ光はそれぞれ異なった角度で単一の結像レンズに入射させることになる。」
(iii)甲第3号証(特開平2-120819号公報)には以下の事項を含む発明が記載されている。
　第1頁左欄第18行〜右欄第4行に記載される、「光偏向器で偏向される光東による走査方向(以下、主走査方向という)と直交する方向(以下、副走査方向という)に倍率を持ち、上記第1、第2結像光学系のレンズの中、上記倍率が最大のレンズ面を有するレンズについて、該レンズを副走査方向に偏心させた上、固定することを特徴とする」。
　第2頁右上欄第18行〜左下欄第3行に記載される、「色別の書き込みを行なう走査光学系を用いるカラープリンタでは第10図(a)に示すように赤、緑、青画像の各情報を含む各書き込み走査線8Rｅ、8G、8Bが理想とする直線状の走査線8に対してそれぞれ湾曲して各々が所謂、走査線の曲がりを生ずることがある。」
　第3頁右上欄第18行〜左下欄第1行に記載される、「f θレンズ52に関し、そのシリンダ面52-1については偏心が無く、トロイダル面52-2についてのみ、副走査方向Y-Yに偏心量Sだけ偏心した場合を考える。」
　第3頁左下欄第9行〜第14行に記載される、「主光線CRはトロイダル面52-2'を通過したのち、レンズ光軸上、トロイダル面52一2の焦点距離f離れた点を通るレンズ光軸との直交平面上で偏心量Sだけレンズ光軸から副走査方向Y-Yにずれた位置に進むように曲がる。」
　第6頁右下欄第8行〜第9行に記載される、「アナモフイク面をもつfθレンズを有する走査光学系」。
　第7頁左下欄第3行〜第11行に記載される、「予め、ハウジング4000の上面をハウジング400のそれよりも寸法hだけ低く設定しておく。この寸法hは次のように定める。つまり、走査光学系を構成する各レンズ単品の両面の偏心の最大公差より得られる最大調整量を±△SMAxとするとき、h≧｜△SMAx｜を満足する任意の値とする。このようにすれば寸法hのスペーサの厚さの範囲であらゆる調整に対処できる。」
(iv)甲第4号証(特開平3-81719号公報)には以下の事項を含む発明が記載されている。
　第7図に記載される、光走査装置の光検知素子の前に配されたシリンドリカルレンズ22上の矢印が示す走査方向と母線の方向が略一致すること。
(v)甲第5号証(特開平1-234815号公報)には以下の事項を含む発明が記載されている。
　第3頁左下欄第12行〜第14行に記載される、「シリンドリカルミラ−(20)は、第3図に示す様に、偏向面に垂直な面内で(θ2)の角度で傾斜して配置されている。」
　第3頁右下欄第3行〜第7行に記載される、「シリンドリカルミラー(20)のみを角度(θ2)だけ傾斜させると、集光面での走査線が曲がる。これを補正するため、トロイダルレンズ(13)も偏向面に垂直な面内で(θ1)の角度で傾斜させることとした。」
（４）対比・判断
 　（請求項１および３に係る発明について）
　請求項１および３に係る発明と申立人が提出した甲号各証記載の発明を比較すると、いずれの甲号証においても、請求項１および３に係る発明 の「光源から副走査方向に角度を持って入射する光ビームを偏向させる走査器」を備えた光走査装置において「水平同期センサーへ入射する光ビームを該水平同期センサーの表面に結像させるよう水平同期レンズの母線をビーム走査方向に対して回転させて配置する」ことは記載されていないし、示唆もされていない。そして、このことにより、回転した光ビームの座標系と水平同期レンズの母線方向、周方向の座標系とが一致し、ビームスポットの形状が良好となって水平同期センサに導入され検出精度が向上するという明細書記載の格別の効果が認められるので、請求項１および３に係る発明は、上記甲号各証に記載の発明から当業者が容易に発明をすることができたものではない。
（請求項２および４に係る発明について）
　請求項２および４に係る発明と申立人が提出した甲号各証記載の発明を比較すると、いずれの甲号証においても、請求項２および４に係る発明 の「光源から副走査方向に角度を持って入射する光ビームを偏向させる走査器」を備えた光走査装置において「水平同期センサーをビーム進行方向に対して回転させて配置する」ことは記載されていないし、示唆もされていない。そして、このことにより、光源から副走査方向に角度を持って入射する光ビームを偏向させる走査器を備えた光走査装置の水平同期センサーの検出感度が向上するという明細書記載の格別の効果が認められるので、請求項２および４に係る発明は、上記甲号各証に記載の発明から当業者が容易に発明をすることができたものではない。
（請求項６に係る発明について）
　請求項６に係る発明と申立人が提出した甲号各証記載の発明を比較すると、いずれの甲号証においても、請求項６に係る発明の「光源から副走査方向に角度を持って入射する光ビームを偏向させる走査器」を備えた光走査装置において「水平同期レンズをその光軸に関して回転させて配置する」ことは記載されていないし、示唆もされていない。そして、このことにより、ビームスポット形状の崩れがなくなり水平同期センサーに導入され検出精度が向上したものとなるという明細書記載の格別の効果が認められるので、請求項６に係る発明は、上記甲号各証に記載の発明から当業者が容易に発明をすることができたものではない。
（請求項７に係る発明について）
　請求項７に係る発明と申立人が提出した甲号各証記載の発明を比較すると、いずれの甲号証においても、請求項７に係る発明の「光源から副走査方向に角度を持って入射する光ビームを偏向させる走査器」を備えた光走査装置において「水平同期センサーをその光軸に関して回転させて配置する」ことは記載されていないし、示唆もされていない。そして、このことにより、光源から副走査方向に角度を持って入射する光ビームを偏向させる走査器を備えた光走査装置の水平同期センサーの検出感度が向上するという明細書記載の格別の効果が認められるので、請求項７に係る発明は、上記甲号各証に記載の発明から当業者が容易に発明をすることができたものではない。
（５）むすび
　 以上のとおりであるから、特許異議申立の理由及び証拠によっては、請求項１ないし４、６ないし７に係る発明の特許を取り消すことはできない。
　また、他に本件請求項１ないし４、６ないし７に係る発明についての特許を取り消すべき理由を発見しない。
　よって、結論のとおり決定する。
【異議決定日】
平成１２年８月１７日（２０００．８．１７）